(57)【要約】【課題】水滴下式の嗜好品飲料の成分抽出では、装置が大きく場所を取り複雑で高価であること、開放部があり転倒したときこぼれること、できた飲料を持ち運ぶとき移し変えなければならないという問題がある。【解決手段】  本発明に示す樹脂製の小容器により、市販の飲料用ペットボトルを利用して密閉した状態でコーヒー豆などの嗜好品飲料原料に水を滴下し、抽出成分を含んだ水を持ち運び可能なペットボトルに回収することができる。【選択図】図１
2017169947.tif 000002
【特許請求の範囲】
【請求項１】
樹脂製の容器で、水の入ったペットボトルを上側に、空のペットボトルを下側に接続するためのペットボトルの口と嵌合する上側および下側のノズル状突起があり、被抽出物が入ったフィルター容器を保持する底があり、前記上側のノズル状突起の内側で前記容器の天面に前記上側のペットボトルの水を1滴ずつ落とすための抵抗を持つ水通過部があり、前記下側のノズル状突起の内側で前記容器の底面に前記被抽出物の成分を含んだ水を前記下側のペットボトルに落とす開口があり、分割可能で組み立てて使用するときに前記２つのペットボトルと前記２つのノズル状突起の接続部および組み立て時の接合部は転倒しても内部の液が漏れない密閉性を持ち、密閉された状態で前記上側のペットボトルと前記容器の間および前記容器と前記下側のペットボトルの間でそれぞれ水を移動させるため同体積の空気を置換する上側および下側の連通部がある嗜好品飲料成分抽出装置。
【請求項２】
容器が上部と下部に２分割でき、前記容器底面の開口を前記下側の連通部として共用するため前記フィルター容器を中空に保持する台座があるか、または前記下側のノズル状突起の内側で前記容器底面を貫通し前記フィルター容器にふさがれない連通管がある、請求項１に記載の嗜好品飲料成分抽出装置。
【請求項３】
容器が上部、中間部および下部の３つに分割でき、前記中間部に前記フィルター容器を保持する底があり、前記中間部の底に被抽出物の成分を含む水を下に落とす開口があり、さらに前記中間部の底の開口を空気が通過する連通部として共用するため前記フィルター容器を中空に保持する台座があるか、または前記中間部の底を貫通し前記フィルター容器にふさがれない連通管がある、請求項１に記載の嗜好品飲料成分抽出装置。
【請求項４】
前記上側のノズル状突起内側で前記容器の天面に開口があり、前記上側のペットボトルの水を1滴ずつ落とすための抵抗を持つ水通過部と前記上側のペットボトルと前記容器の間を連通する連通管が付いた入れ子部品を前記天面の開口にはめ込んだ、請求項１から３のいずれか１項に記載の嗜好品飲料成分抽出装置。
【請求項５】
前記水通過部が直径0.1mmから0.5mmの小径の穴である、請求項１から４のいずれか１項に記載の嗜好品飲料成分抽出装置。
【請求項６】
前記水通過部が、硬くよった紙など水が浸透する流量調節用詰め物を装着するための穴である、請求項１から４のいずれか１項に記載の嗜好品飲料成分抽出装置。
【請求項７】
前記水通過部が流量調節用のバルブである、請求項１から４のいずれか１項に記載の嗜好品飲料成分抽出装置。
【発明の詳細な説明】
【技術分野】
【０００１】
本発明は２本のペットボトルを接続できる小型の容器で、成分抽出用に処理されたコーヒーなどの嗜好品原料に水を滴下して成分を抽出する装置である。
【背景技術】
【０００２】
コーヒー豆などの嗜好品飲料原料から水の滴下により成分を抽出する方法は、独特の香りや味わいを引き出せるが、装置が大きく場所を取り複雑で高価である。
また水の滴下、抽出の工程を開放部がある装置で行うため、倒れたときこぼれるなどの問題がある。
【先行技術文献】
【特許文献】
【０００３】
【特許文献１】特開2001-078892
【特許文献２】実登3156806
【特許文献３】実登3008979
【発明の概要】
【発明が解決しようとする課題】
【０００４】
解決しようとする問題点は、水滴下式の嗜好品飲料成分抽出装置が場所を取ること、複雑で高価であること、開放式で転倒したときにこぼれること、得られた抽出成分を含む飲料を持ち運び飲用するために別の容器に移し変えなければならないことである。
【課題を解決するための手段】
【０００５】
本発明は、抽出用に処理された嗜好品の被抽出物を入れることができる小容器で、水の入ったペットボトルと空のペットボトルをそれぞれ上側と下側に接続し、密閉した状態でそれぞれのペットボトルと小容器の間で液体と空気を移動させる流路を確保して、上側のペットボトルから水を被抽出物に滴下し抽出成分を含んだ水を下側のペットボトルに回収することを最大の特徴とする。
【発明の効果】
【０００６】
小型のペットボトルを使用して場所を取らず、ペットボトルの利用で低価格であり、小型の容器の結合部は密閉され容器とペットボトルの口は嵌合して接続されるため転倒しても内溶液が漏れず、嗜好品の成分が抽出され得られた飲料は持ち運び可能なペットボトルに回収される。
【図面の簡単な説明】
【０００７】
【図１】本発明の装置にペットボトルを接続した図で、装置容器が上部と下部に2分割でき、容器上部に滴下用の小径の水通過部がある例の断面図である。
【図２】本発明の装置にペットボトルを接続した図で、装置容器が上部と下部に2分割でき、容器上部に流量調節用詰め物を装着する水通過部があり容器底部に連通管がある例の断面図である。
【図３】本発明の装置にペットボトルを接続した図で、装置容器が上部、中間部、下部に3分割でき、容器上部の開口に流量調節用詰め物を装着する水通過部と連通管が付いた入れ子をはめ込んだ例の断面図である。
【図４】本発明の装置の容器上部の開口にはめ込む滴下量調節用ニードルバルブ付き入れ子の例の断面図である。
【発明を実施するための形態】
【０００８】
図１に示す装置で抽出を行う場合を説明する。
1２の容器下部に53の被抽出物が入ったフィルター容器を入れる。容器下部のノズル状突起と52の空である下側のペットボトルを接続する。
11の容器上部に11bの連通管を接続する。
2本目の空のペットボトルに水を入れ、５1の上側のペットボトルとする。容器上部を逆さまにして連通管を上側のペットボトルに差し込み、容器上部と上側のペットボトルを接続する。容器上部を接続した上側のペットボトルを逆さまにして側面を押し連通管につながっている容器上部の開口部から水を少量出した後に押す力を除くと連通管から空気がペットボトル内に入って行き、以後、水が11aの水通過部から抜けるに従い空気が入り続ける。滴下開始当初、上側ペットボトル内の水位が連通管の先より高くても水通過部と連通管の先の水位差から、水は水通過部から落ち空気は連通管から入る。水通過部から落ちる水の流量が水滴下による抽出に適量であることを確認した後、容器上部を容器下部に接続して抽出を行う。
抽出後に容器下部と抽出成分を含んだ水がたまった下側のペットボトルを外し、購入時に付いているキャップで下側のペットボトルに封をする。
53の被抽出物を入れるフィルター容器は市販のフィルターバッグでも、市販の金属製フィルター容器でもよい。
図２に示す装置で抽出を行う場合では、22の容器下部に22aの連通管を装着したあと53の被抽出物が入ったフィルター容器を入れる。
ちり紙などを硬くよって21aの流量調節用の詰め物を作り、２1の容器上部の水通過部に装着する。図１と同じく51の上側のペットボトルと21の容器上側を接続し、流量調節用詰め物から落ちる水の流量が水滴下による抽出に適量であることを確認した後、容器上側を容器下部に接続して抽出を行う。
【符号の説明】
【０００９】
1１, 21, 31    容器上部
12, 22, 32    容器下部
11a     滴下用の小径の水通過部
11b, 21b, 22a, 31c    連通管
21a, 31b    流量調節用詰め物
31a     入れ子部品
33      容器中間部
33a     連通管
41a     流量調節バルブ付き入れ子部品
41b     流量調節バルブ部品
51      上側のペットボトル
52      下側のペットボトル
53      被抽出物が入ったフィルター容器
【図１】
2017169947.tif 000003
【図２】
2017169947.tif 000004
【図３】
2017169947.tif 000005
【図４】
2017169947.tif 000006